(57)【特許請求の範囲】
【請求項１】
積み重ねられた合成樹脂発泡体の少なくとも一側に保護壁が設けられ、しかも合成樹脂発泡体上に上部コンクリート床版が設けられた保護壁付軽量盛土の構築方法において、
合成樹脂発泡体の積み重ねを、保護壁の上部が合成樹脂発泡体より上方に突き出た位置までとし、合成樹脂発泡体上に露出する保護壁の上部内面を分離材で覆い、内面が分離材で覆われた保護壁の上部を型枠代わりとして、合成樹脂発泡体上にコンクリートを打設して主床版部を形成し、この主床版部に、保護壁頂面との間に間隔をもって、主床版部から保護壁上に延出するカバー材を取り付けた後、前記主床版部と、保護壁上に延出したカバー材上とに跨って副床版部を形成し、主床版部の保護壁側に副床版部を連ねて上部コンクリート床版を形成することを特徴とする保護壁付軽量盛土の構築方法。
【請求項２】
副床版部を防護壁基礎として形成することを特徴とする請求項１に記載の保護壁付軽量盛土の構築方法。
【請求項３】
保護壁が、積み重ねられた合成樹脂発泡体の両側に設けられていると共に、所定の間隔で設けられた支柱を備えている請求項１に記載の保護壁付軽量盛土の構築方法において、筋材を、その両端をそれぞれ支柱に沿った上下方向へのズレを許容する取付具を介して両側の保護壁の支柱に接続して、緊張状態で合成樹脂発泡体上に配置した後、合成樹脂発泡体上にコンクリートを打設して主床版部を形成することを特徴とする保護壁付軽量盛土の構築方法。
【請求項４】
保護壁が、傾斜地盤に積み重ねられた合成樹脂発泡体の谷側に設けられていると共に、所定の間隔で打設された支柱を備えている請求項１に記載の保護壁付軽量盛土の構築方法において、筋材を、その一端を支柱に沿った上下方向へのズレを許容する取付具を介して保護壁の支柱に接続し、他端を傾斜地盤の山側に打ち込まれた抑止材に接続して、緊張状態で合成樹脂発泡体上に配置した後、合成樹脂発泡体上にコンクリートを打設して主床版部を形成することを特徴とする保護壁付軽量盛土の構築方法。
【発明の詳細な説明】
【０００１】
【発明の属する技術分野】
本発明は、例えば傾斜地への道路の造成や、スロープや階段の造成などに用いられる保護壁付軽量盛土の構築方法に関する。
【０００２】
【従来の技術】
従来、例えば山間部の傾斜地へ道路を通す際に、傾斜地の谷側に形成した保護壁の内側に合成樹脂発泡体を充填し、この合成樹脂発泡体上に、保護壁の頂面を避けて、上部コンクリート床版を打設して保護壁付軽量盛土を構築し、この軽量盛土上に路面を形成することが知られている（特開平７−３４４７１号公報、特開平９−６７８０４号公報）。
【０００３】
【発明が解決しようとする課題】
しかしながら、上記従来の保護壁付軽量盛土のように、保護壁頂面を避けて上部コンクリート床版を打設したのでは、保護壁の厚み分だけ道幅が狭くなる問題がある。
【０００４】
また、通常、保護壁は、所定の間隔で打設したＨ型鋼杭間に合成樹脂発泡板を落とし込むと共に、外面側にコンクリートパネルなどの外面材を取り付けることで構成される。上記従来の保護壁付軽量盛土の場合、保護壁の頂部にカバー材を取り付け、保護壁頂部に露出するＨ型鋼杭と合成樹脂発泡板を覆い隠しているが、このカバー材が道路の谷側に露出することになるため、外観が悪い問題もある。
【０００５】
一方、合成樹脂発泡体上から保護壁頂面上に亘って上部コンクリート床版を形成すれば、道幅を広くとることができ、しかも保護壁頂部を上部コンクリート床版で覆い隠して外観を向上させることができる。
【０００６】
しかしながら、このようにすると、通行車両などの荷重により合成樹脂発泡体が圧縮されて沈下した際に、荷重が上部コンクリート床版を介して保護壁頂面に加わり、保護壁が変形したり損傷する原因となる。また、合成樹脂発泡体上から保護壁頂面上に亘って上部コンクリート床版を形成すると共に、上部コンクリート床版と保護壁頂面との間に、圧縮変形可能な目地材を介在させ、目地材の圧縮変形によって合成樹脂発泡体の沈下に追従できるようにすることも考えられるが、大きな圧縮変形幅をとりにくいと共に、圧縮された目地材が膨出して、外観を悪くしやすい問題がある。
【０００７】
本発明は、上記従来の問題点に鑑みてなされたもので、保護壁の内側に合成樹脂発泡体が充填され、この合成樹脂発泡体上に上部コンクリート床版が設けられた保護壁付軽量盛土において、上部コンクリート床版を保護壁頂面上まで形成した際に、合成樹脂発泡体の圧縮沈下に容易かつ確実に追従できるようにすることを目的とする。
【００１１】
【課題を解決するための手段】
上記目的を達成するために、本発明は、積み重ねられた合成樹脂発泡体の少なくとも一側に保護壁が設けられ、しかも合成樹脂発泡体上に上部コンクリート床版が設けられた保護壁付軽量盛土の構築方法において、
合成樹脂発泡体の積み重ねを、保護壁の上部が合成樹脂発泡体より上方に突き出た位置までとし、合成樹脂発泡体上に露出する保護壁の上部内面を分離材で覆い、内面が分離材で覆われた保護壁の上部を型枠代わりとして、合成樹脂発泡体上にコンクリートを打設して主床版部を形成し、この主床版部に、保護壁頂面との間に間隔をもって、主床版部から保護壁上に延出するカバー材を取り付けた後、前記主床版部と、保護壁上に延出したカバー材上とに跨って副床版部を形成し、主床版部の保護壁側に副床版部を連ねて上部コンクリート床版を形成することを特徴とする保護壁付軽量盛土の構築方法を提供するものである。
【００１２】
上記本発明は、副床版部を防護壁基礎として形成すること、をその好ましい態様として含むものである。
【００１３】
更に上記本発明は、保護壁が、積み重ねられた合成樹脂発泡体の両側に設けられていると共に、所定の間隔で設けられた支柱を備えている保護壁付軽量盛土の構築方法において、筋材を、その両端をそれぞれ支柱に沿った上下方向へのズレを許容する取付具を介して両側の保護壁の支柱に接続して、緊張状態で合成樹脂発泡体上に配置した後、合成樹脂発泡体上にコンクリートを打設して主床版部を形成すること、保護壁が、傾斜地盤に積み重ねられた合成樹脂発泡体の谷側に設けられていると共に、所定の間隔で打設された支柱を備えている保護壁付軽量盛土の構築方法において、筋材を、その一端を支柱に沿った上下方向へのズレを許容する取付具を介して保護壁の支柱に接続し、他端を傾斜地盤の山側に打ち込まれた抑止材に接続して、緊張状態で合成樹脂発泡体上に配置した後、合成樹脂発泡体上にコンクリートを打設して主床版部を形成すること、をその好ましい態様として含むものである。
【００１４】
上記本発明によれば、主床版部に取り付けられたカバー材によって、保護壁頂面と、この保護壁頂面上に形成された副床版部との間に任意の高さの隙間を確保することができ、この隙間の高さだけ、合成樹脂発泡体の圧縮沈下に追従することができる。
【００１５】
【発明の実施の形態】
以下、図面に基づいて本発明を説明する。
【００１６】
図１〜図３は、本発明に係る保護壁付軽量盛土の一例を示すもので、図１は、本発明の保護壁付軽量盛土を用いた道路の幅方向断面図、図２は、図１における保護壁頂部付近の拡大断面図、図３は、カバー材の一部を示す斜視図である。
【００１７】
図１において、１は保護壁で、傾斜地盤の谷側にほぼ垂直に形成されている。この保護壁１は、適宜の間隔で地盤に打ち込んだ支柱２間に合成樹脂発泡板３を設けると共に、外面側にコンクリートパネルなどの外面材４を取り付けたものとなっている。図示される例においては、支柱２としてＨ型鋼杭が用いられており、合成樹脂発泡板３は、隣接するＨ型鋼杭の凹部に側端部を差し込んで落とし込まれている。また、外面材４は、支柱２にフック状の金具（図示されていない）などを用いて取り付けられている。
【００１８】
上記保護壁１の内側には、合成樹脂発泡体５が充填されている。この合成樹脂発泡体５は、保護壁１に加わる土圧を軽減するために盛土代わりに充填されているもので、発泡性の合成樹脂液を保護壁１の内側に注入して発泡硬化させたものでもよいが、必要な発泡倍率及び圧縮強度が得やすいことから、予め押出法発泡成形又はビーズ法発泡成形により板状もくはブロック状に成形した合成樹脂発泡成形体が好ましい。また、圧縮強度に優れることから、合成樹脂発泡成形体としては、押出発泡ポリスチレン板、ビーズ発泡ポリスチレンブロックが好ましい。図示される例においては、合成樹脂発泡成形体が保護壁１の内側に積み重ねて充填されている。
【００１９】
一般的には、合成樹脂発泡体５の安定した充填（積み重ね）状態が得やすいことから、保護壁１を形成した後、その内側へ合成樹脂発泡体５を充填する手順で施工されるが、例えば合成樹脂発泡成形体を積み上げた後に保護壁１を形成したり、合成樹脂発泡成形体の積み上げと並行して保護壁１を形成することもできる。
【００２０】
本発明におけるコンクリート床版６は、分けて打設形成された主床版部７と副床版部８とからなるもので、主床版部７は、合成樹脂発泡体５が圧縮沈下したときに保護壁１に荷重が加わらないよう、前記保護壁１の頂面上を避けて上記合成樹脂発泡体５上に形成されている。また、副床版部８は、主床版部７から保護壁１側に連なるものとなっている。
【００２１】
主床版部７は、図示されるように、その上面が保護壁１の頂面より下方に位置していることが好ましい。つまり、合成樹脂発泡体５の充填高さを、保護壁１の頂部が主床版部７の厚み分よりも高く上方に突き出た位置までとし、その上に主床版部７を形成することが好ましい。このようにすると、主床版部７を形成するためのコンクリートの打設時に、保護壁１を型枠代わりに用いることができ、主床版部７の形成作業が容易となる。また、後述するように、主床版部７に埋設された筋材１９（図４参照）によって保護壁１を支える構造をとりやすくなる。
【００２２】
合成樹脂発泡体５として合成樹脂発泡成形体を用いる場合、その充填高さ（積み上げ高さ）のレベル合わせは、合成樹脂発泡成形体を積み上げる前に地盤にコンクリートを流して行うこともできるが、合成樹脂発泡成形体を積み上げた後に、その上にレベル合わせと段差均しを兼ねたコンクリートを流すことで行うこともできる。前者の場合、合成樹脂発泡体５に加わる重量を軽減できる利点があり、後者の場合、レベル合わせが容易となる利点がある。
【００２３】
主床版部７は、通常、合成樹脂発泡体５上に配筋を施し、コンクリートを打設することで形成することができる。主床版部７を形成するためのコンクリートの打設時には、図１及び図２に示されるように、前記合成樹脂発泡体５上に露出する保護壁１の上部内面を分離材９で覆った後、合成樹脂発泡体５上にコンクリートを打設して主床版部７を形成することが好ましい。このようにすると、主床版部７と保護壁１とを、両者間に介在された分離材９で確実に分離することができ、合成樹脂発泡体５の圧縮沈下に伴って主床版部７が沈下したときに、保護壁１に下方に押し下げる力が加わるのを防止することができる。分離材９としては、合成樹脂発泡板を用いることができる。特に合成樹脂発泡体５として合成樹脂発泡成形体を用いる場合、これを適宜の大きさに切断して使用することができる。
【００２４】
主床版部７の形成は、合成樹脂発泡体５上に直に行ってもよりが、例えば前述したように、合成樹脂発泡体５上にレベル合わせと段差均しを兼ねたコンクリートを流した後に行ったり、合成樹脂発泡体５上に耐溶剤性の保護シート（図示されていない）、例えばポリエチレンなどの合成樹脂シートを敷設した上に行ってもよい。
【００２５】
図１及び図２に示されるように、主床版部７の保護壁１側の側縁部に沿って、保護壁１の頂面との間に間隔をもって保護壁１上に延出するカバー材１０が取り付けられている。このカバー材１０は、特に図２及び図３に示されるように、平坦な取付部１１の一側を下向きコ字形に屈曲させて保護壁収容部１２とした金属板製の長尺品で、取付部１１が主床版部７に取り付けられ、保護壁収容部１２が保護壁１の頂部に被せられている。特に図３に示されるように、カバー材１０の取付部１１には、長さ方向に適宜の間隔で、主床版部７へ取り付けるためのビスやボルトを通すための取付孔１３が形成されていると共に、カバー材１０の上面側には、長さ方向に所定の間隔をあけて、取付部１１から保護壁収容部１２に跨って補強アングル１４が取り付けられている。この補強アングル１４は、後述する副床版部８を形成するときに、カバー材１０が大きく下方に撓むのを防止するためのものである。
【００２６】
図１及び図２に示されるように、図示される例におけるカバー材１０は、主床版部７の保護壁１側の側縁部に、保護壁１の頂面に揃えた高さまで上方に突出して形成された台部１５に取り付けられている。この台部１５は必須のものではないが、台部１５を設け、台部１５の上面と保護壁１の頂面の高さを揃えるように施行すると、保護壁１の頂面とカバー材１０間の間隔を施行ムラなく確実に所定量とることができる。
【００２７】
図１及び図２に示されるように、前記副床版部８は、保護壁１側の主床版部７の側縁部上と、保護壁１上に延出したカバー材１０上とに跨って形成されている。つまり、本発明においては、合成樹脂発泡体５上に、保護壁１の頂面上を避けて主床版部７を形成し、この主床版部７にカバー材１０を取り付けた後、副床版部８を主床版部７に連ねて形成するものである。具体的には、カバー材１０を取り付けた後、この上に型枠を組み、必要に応じて配筋を施してコンクリートを打設することで、主床版部７上と、保護壁１上に延出したカバー材１０上とに跨って副床版部８を形成する。
【００２８】
カバー材１０は、副床版部８を形成するためのコンクリート打設時の底面を構成するものである。前述のように、カバー材１０は、保護壁１の頂面との間に間隔をあけて設けられていることから、副床版部８は、保護壁１の頂面と接することなく形成されることになる。従って、合成樹脂発泡体５が圧縮沈下し、これに伴って主床版部７と副床版部８からなる上部コンクリート床版６全体が沈下しても、この沈下量がカバー材１０と保護壁１の頂面との間の間隔より小さければ、副床版部８が保護壁１の頂面を押圧することがない。
【００２９】
カバー材１０は、上記保護壁１の頂面との間の間隔維持の観点だけからすれば、単にひさし状に保護壁１の頂面上に突き出したものでもよい。しかし、前述したように、下向きコ字形の保護壁収容部１２を有するカバー材１０とし、この保護壁収容部１２を保護壁１の頂部に被せて保護壁１の頂部を覆い隠すようにすると、カバー材１０と保護壁１の頂部間の隙間に石などが入り込むことを防止することができると共に、外観も向上する。
【００３０】
副床版部８は、盛土の谷側縁部を構成するもので、例えば縁石部などとして形成することもできるが、図示されるように、防護柵基礎として形成することが好ましい。この防護柵基礎は、転落防止用のフェンスやガードレールなどを設置するためのポール１６の基礎となる部分をいう。
【００３１】
尚、図１及び図２において、１７は割栗、砂利、砂などの路面下地材、１８はアスファルトなどの路面材である。また、上記の例において、カバー材１０と保護壁１の頂面との間は単なる隙間としてあるが、この隙間に圧縮変形可能な目地材（図示されていない）を介在させ、副床版部８を形成するときに、カバー材１０が下方に大きく撓まないよう、下から支えるようにすることもできる。
【００３２】
図４及び図５は、本発明に係る保護壁付軽量盛土の他の例を示すもので、支柱２に沿った上下方向へのズレを許容する取付具２０を介して支柱２に接続された筋材１９が緊張状態で主床版部７に埋設されたものとなっている。
【００３３】
筋材１９は、例えば金属ロッドやワイヤーなどで構成されたもので、例えば急勾配斜面の傾斜方向に沿って緩やかなスロープや階段を構築する場合の保護壁付軽量盛土のように、両側に保護壁１を有する場合、筋材１９の図示されていない他端も、この他端側に位置する保護壁（図示される保護壁１と同様）の支柱（図示される支柱２と同様）に取付具（図示される取付具２０と同様）を介して接続されて緊張させられているものである。また、図１に示されるように、傾斜地盤の谷側にだけ保護壁１を有する保護壁付軽量盛土の場合、一端が上記取付具２０で保護壁１の支柱２に接続され、他端は傾斜地盤の山側に打ち込まれた抑止材（図示されていない）に接続されて緊張させられているものである。
【００３４】
上記のようにすると、緊張した筋材１９で支柱２の頂部を内側に引き付けておくことができ、保護壁１を外側に倒そうとする土圧を強固に支えることができる。特に、主床版部７を、その上面が保護壁１の頂面（支柱２の頂面）より低い位置となるように形成すると、筋材１９を、合成樹脂発泡体５上にほぼ水平に緊張させた状態で支柱２の頂部に接続でき、しかもこの筋材１９を主床版部７に埋設することができる。筋材１９をほぼ水平に緊張させて支柱２の頂部に接続しておくことにより、高い支柱２の支持力が得られ、また筋材１９を主床版部７に埋設しておくことにより、筋材１９が合成樹脂発泡体５を局部的に押圧して損傷させてしまうことを防止することができる。
【００３５】
筋材１９が、支柱２に沿った上下方向へのズレを許容する取付具２０を介して支柱２に接続されているのは、合成樹脂発泡体５が圧縮沈下したときに、取付具２０の支柱２への接続位置がずれることで、筋材１９に無理な力が加わるのを防止できるようにするためのものである。本例における取付具２０は、特に図５に示されるように、支柱２を構成するＨ型鋼杭をコ字形チャック部２１で左右から挟み付けて掴持するものとなっている。
【００３６】
上記筋材１９を備えた保護壁付軽量盛土は、合成樹脂発泡体５の充填高さを、保護壁１の頂部が主床版部７の厚み分より高く上方に突き出た位置までとし、その上に筋材１９を緊張状態で張り渡した後、コンクリートを打設して主床版部７の形成を行えばよい。筋材１９の張り渡しは、両側に保護壁１を有する軽量盛土においては、両端をそれぞれ取付具２０を介して両側の保護壁１の支柱２に接続して行い、傾斜地盤の谷側にのみ保護壁１を有する軽量盛土においては、一端を取付具２０を介して保護壁１の支柱２に接続し、他端を傾斜地盤の山側に打ち込まれた抑止材に接続して行う。
【００３７】
尚、図４及び図５において、図１〜図３と同じ符号は同じ部材を示すものである。
【００３８】
【発明の効果】
本発明は、以上説明したとおりのものであり、次の効果を奏するものである。
【００３９】
（１）合成樹脂発泡体５の圧縮沈下により、主床版部７と副床版部８とからなる上部コンクリート床版６が沈下しても、保護壁１の頂面と、この頂面上に位置する副床版部８との間に、カバー材１０によって間隔があけられているので、副床版部８が保護壁１の頂面に当接してこれを押圧することがなく、保護壁１の変形や損傷を防止することができる。
【００４０】
（２）保護壁１の頂面上まで上部コンクリート床版６を設けることができ、保護壁１の厚さ分まで、保護壁付軽量盛土上の面積を有効利用することができる。
【００４１】
（３）保護壁１の頂部にカバー材１０を被せて覆うことができると同時に、このカバー材１０は、その上に形成される副床版部８でほとんど覆われてしまうので、優れた外観が得やすい。
【００４２】
（４）主床版部７に埋設された筋材１９によって保護壁１を支持させた構成をとりやすく、強固な保護壁付軽量盛土が得やすい。
【図面の簡単な説明】
【図１】本発明の一例に係る保護壁付軽量盛土を用いた道路の幅方向断面図である。
【図２】図１における保護壁頂部付近の拡大断面図である。
【図３】カバー材の一部を示す斜視図である。
【図４】本発明の他の例に係る保護壁付軽量盛土の保護壁頂部付近の断面図である。
【図５】図４における取付具付近の拡大水平断面図である。
【符号の説明】
１    保護壁
２    支柱
３    合成樹脂発泡板
４    外面材
５    合成樹脂発泡体
６    上部コンクリート床版
７    主床版部
８    副床版部
９    分離材
１０  カバー材
１１  取付部
１２  保護壁収容部
１３  取付孔
１４  補強アングル
１５  台部
１６  ポール
１７  路面下地材
１８  路面材
１９  筋材
２０  取付具
２１  コ字形チャック部
【図１】
0003726042.tif 000002
【図２】
0003726042.tif 000003
【図３】
0003726042.tif 000004
【図４】
0003726042.tif 000005
【図５】
0003726042.tif 000006